(57)【要約】【課題】生産性を低下させることなく、基板レベルでの測定を行うことのできるリソグラフィ装置の提供。【解決手段】シングル・ステージ又は複数ステージのリソグラフィ装置において、例えば基板テーブル交換、及び／又は基板のロード及びアンロードの間、テーブルが液体供給システムに対して閉じ込め用の面を形成する。一実施例では、テーブルは、例えば基板テーブル交換、及び／又は基板のロード及びアンロードの間に投影ビームの測定を行うセンサを有している。【選択図】図６
2010177706.tif 000002
【特許請求の範囲】
【請求項１】
リソグラフィ装置に用いるための位置決め装置であって、
基板テーブルである第１のテーブルであって、該第１のテーブルを投影システムの下方に移動させるための第１の位置決めシステムに接続されている第１のテーブルと、
基板を保持するようには構成されていない第２のテーブルであって、第１のテーブルが投影システムの下方から移動されるときに第２のテーブルを投影システムの下方に移動させるための第２の位置決めシステムに接続されている第２のテーブルと、
投影システムと基板との間の空間に液体を供給する液体供給システムと、を備え、
第２のテーブルは、投影システムからのパターン付き放射ビームの特性を検知するように構成されたセンサ・ユニットを含むセンサ・テーブルを備え、
センサ・ユニットは、エネルギー・センサを含むことを特徴とする位置決め装置。
【請求項２】
センサ・ユニットは、偏光センサ、透過イメージ・センサ、またはシヤリング干渉計センサをさらに含むことを特徴とする請求項１に記載の位置決め装置。
【請求項３】
第２のテーブルは、第１のテーブルが投影システムの下方から移動されるときに、少なくとも部分的に前記空間の境界を定める面を形成することを特徴とする請求項１または２に記載の位置決め装置。
【請求項４】
第１及び第２の位置決めシステムに接続されており、第１のテーブルを投影システム下方の位置から移動させるのと同期して第２のテーブルを前記位置に位置決めするようそれぞれの位置決めシステムを制御する制御装置をさらに含むことを特徴とする請求項１から３のいずれかに記載の位置決め装置。
【請求項５】
第２の位置決めシステムは長ストローク・モジュール及び短ストローク・モジュールを含み、該短ストローク・モジュールが、該長ストローク・モジュールより移動範囲は小さいが高精度であることを特徴とする請求項１から４のいずれかに記載の位置決め装置。
【請求項６】
別の基板テーブルである第３のテーブルと、
第１及び第３のテーブルのいずれか一方によって運ばれた基板を露光することのできる露光ステーションと、
第１及び第３のテーブルのいずれか一方によって運ばれた基板を測定することのできる測定ステーションと、をさらに備え、
第１の位置決めシステムは、測定ステーションと露光ステーションとの間で第１及び第３のテーブルを交換するように構成されていることを特徴とする請求項１から５のいずれかに記載の位置決め装置。
【請求項７】
別の基板テーブルである第３のテーブルと、
第１及び第３のテーブルのいずれか一方によって運ばれた基板を露光することのできる露光ステーションと、
第１及び第３のテーブルのいずれか一方によって運ばれた基板を測定することのできる第１及び第２の測定ステーションと、をさらに備え、
第１の位置決めシステムが、露光ステーションと測定ステーションのそれぞれ一方との間で第１及び第３のテーブルを交換するように構成されていることを特徴とする請求項１から５のいずれかに記載の位置決め装置。
【請求項８】
リソグラフィ装置に用いるための位置決め装置であって、
基板テーブルである第１のテーブルであって、該第１のテーブルを投影システムの下方に移動させるための第１の位置決めシステムに接続されている第１のテーブルと、
基板を保持するようには構成されていない第２のテーブルであって、第１のテーブルが投影システムの下方から移動されるときに第２のテーブルを投影システムの下方に移動させるための第２の位置決めシステムに接続されている第２のテーブルと、
投影システムと基板との間の空間に液体を供給する液体供給システムと、を備え、
第２のテーブルは、投影システムからのパターン付き放射ビームの特性を検知するように構成されたセンサ・ユニットを含むセンサ・テーブルを備え、
センサ・ユニットは、シヤリング干渉計センサを含むことを特徴とする位置決め装置。
【発明の詳細な説明】
【技術分野】
【０００１】
本発明は、リソグラフィ装置及びデバイス製造方法に関するものである。
【背景技術】
【０００２】
リソグラフィ装置は、所望のパターンを基板、通常は基板のターゲット部分に付加する機械である。リソグラフィ装置は、例えば集積回路（ＩＣ）の製造に用いることができる。そのような場合、マスク又はレチクルとも呼ばれるパターン形成装置を用いて、ＩＣの個々の層に形成される回路パターンを作成できる。このパターンを、基板（例えばシリコン・ウェハ）上の（例えば１つ又は複数のダイの一部を含む）ターゲット部分に転写できる。パターンの転写は、一般に基板に設けられた放射感応材料（レジスト）の層への結像によるものである。一般に単一の基板は、連続的にパターンの形成される隣接するターゲット部分のネットワークを含む。周知のリソグラフィ装置には、パターン全体をターゲット部分に一度に露光することによって各ターゲット部分を照射する、いわゆるステッパと、パターンを放射ビームによって所与の方向（「走査」方向）に走査し、それと同時にこの方向に対して平行又は逆平行に基板を同期して走査することによって各ターゲット部分を照射する、いわゆるスキャナとが含まれる。パターンを基板にインプリントする（押し込む）ことにより、パターンをパターン形成装置から基板に転写することも可能である。
【０００３】
投影システムの最終要素と基板との間の空間を満たすように、リソグラフィ投影装置内の基板を、例えば水など比較的大きい屈折率を有する液体に浸すことが提唱されている。この理由は、液体中では露光放射の波長がより短くなるため、より小さいフィーチャの結像が可能になることにある。（液体の効果を、システムの有効開口数（ＮＡ）を高め、且つ焦点深度をも高めることと考えることもできる。）固体粒子（例えば石英）を懸濁させた水を含めて他の浸漬液も提唱されている。
【０００４】
しかし、基板、又は基板および基板テーブルを液体槽に浸すこと（例えば米国特許第４５０９８５２号を参照。その全体を参照によって本明細書に援用する）は、走査露光中に加速させなければならない大量の液体が存在することを意味する。このため、追加のモータ若しくはより強力なモータが必要になり、また液体の乱れによって望ましくない予測できない影響をまねく虞がある。
【０００５】
提唱されている解決策の１つは、液体供給システムを用いて、液体供給システムが、投影システムの最終要素と基板との間の基板の局所領域のみに液体を供給するようにすることである（基板は一般に、投影システムの最終要素より大きい表面積を有する）。このように構成することを提唱している１つの方法がＰＣＴ出願ＷＯ９９／４９５０４に開示されており、その全体を参照によって本明細書に援用する。図２及び図３に示すように、液体は少なくとも１つの入口ＩＮによって、好ましくは最終要素に対する基板の移動方向に沿って基板上に供給され、投影システムの下を通過した後、少なくとも１つの出口ＯＵＴによって除去される。すなわち、基板が要素の下を−Ｘ方向に走査される際に、液体は要素の＋Ｘ側に供給され、−Ｘ側で取り出される。図２は、液体が入口ＩＮを介して供給され、低圧源に接続された出口ＯＵＴによって要素の反対側で取り出される配置を概略的に示している。図２の例では、液体が最終要素に対する基板の移動方向に沿って供給されているが、このようにする必要はない。最終要素の周りに配置される入口及び出口は、様々な向き及び数とすることが可能であり、両側に出口を備えた４組の入口を最終要素の周りに規則正しいパターンで設けた一実施例を図３に示す。
【０００６】
リソグラフィ装置の性能を維持するために、放射源、照明系及び投影システムの性能の定期的な測定を行うことが可能であり、したがって、装置のいずれかの部分の性能が低下した場合には、再較正など補正手段を講じることができる。結像に影響を及ぼす可能性のある１つ又は複数のパラメータを測定するために、装置の光路内に１つ又は複数のセンサを設けることができるが、きわめて重要ないくつかの場合では、基板レベルで直接、空中画像の測定を行うことが望ましい。そうした測定は製造時の露光と並行して同時に実施することはできず、したがって定期的に停止時間が設けられ、装置の生産性が低下することになる。
【発明の概要】
【発明が解決しようとする課題】
【０００７】
したがって、例えば、生産性を低下させることなく、基板水準での測定を行うことのできるリソグラフィ装置が提供されると有利であろう。
【課題を解決するための手段】
【０００８】
本発明の一観点によれば、パターンの付与された放射ビームを基板に投影するリソグラフィ装置に用いるための位置決め装置において、位置決め装置が、第１のテーブルと第２のテーブルとを含み、
第１のテーブルが、該第１のテーブルをパターンの付与された放射ビームの経路内及び経路外へ移動させるように構成された第１の位置決めシステムに接続されて、基板を保持するように構成されており、
第２のテーブルが、第１のテーブルをパターンの付与された放射ビームの経路外へ移動させる際に、該第２のテーブルをパターンの付与された放射ビームの経路内に位置決めするように構成された第２の位置決めシステムに接続されて、基板を保持するようには構成されていない位置決め装置が提供される。
【０００９】
本発明の一観点によれば、
基板を保持するように構成された基板テーブルと、
パターンの付与されたビームを基板に投影するように構成された投影システムと、
基板テーブルに接続され、基板テーブルをパターンの付与された放射ビームの経路内及び経路外へ移動させるように構成された第１の位置決めシステムと、
基板を保持するようには構成されておらず、パターンの付与された放射ビームの特性を検知するように構成されたセンサを有するセンサ・テーブルと、
第１のテーブルをパターンの付与された放射ビームの経路外へ移動させる際に、センサ・テーブルをパターンの付与された放射ビームの経路内に位置決めするように構成された第２の位置決めシステムとを有するリソグラフィ装置が提供される。
【００１０】
本発明の他の観点によれば、
パターンの付与された放射ビームを、テーブルに保持された基板に投影する段階と、
テーブルをパターンの付与された放射ビームの経路外へ移動させる段階と、
センサをパターンの付与された放射ビームの経路内へ移動させる段階およびビームの特性を測定する段階とを含み、
センサを移動させる段階および特性を測定する段階が、少なくとも部分的に、テーブルを移動させる段階と同時に行われるデバイス製造方法が提供される。
【図面の簡単な説明】
【００１１】
【図１】本発明の一実施例によるリソグラフィ装置を示す図。
【図２】リソグラフィ投影装置に用いるための液体供給システムを示す図。
【図３】リソグラフィ投影装置に用いるための液体供給システムを示す図。
【図４】リソグラフィ投影装置に用いるための他の液体供給システムを示す図。
【図５】本発明の一実施例によるリソグラフィ装置に用いるための液体供給システムを示す図。
【図６】本発明の一実施例による測定ステーション及び露光ステーションを示す図。
【図７】図６と類似の図であるが、テーブル交換中の状態を示す図。
【発明を実施するための形態】
【００１２】
次に本発明の実施例を、添付の概略図を参照して例示のみの目的で説明するが、図中において同じ参照記号は同じ部品を指すものであることに留意されたい。
【００１３】
図１は、本発明の一実施例によるリソグラフィ装置を概略的に示している。この装置は、
放射ビームＰＢ（例えば、ＵＶ放射又はＤＵＶ放射）を調節するように構成された照明系（照明器）ＩＬと、
パターン形成装置（例えばマスク）ＭＡを支持するように構成された支持構造体（例えばマスク・テーブル）ＭＴであって、あるパラメータに従ってパターン形成装置を正確に位置決めするように構成された第１の位置決め装置ＰＭに接続された支持構造体ＭＴと、
基板（例えばレジスト塗布ウェハ）Ｗを保持するように構成された基板テーブル（例えばウェハ・テーブル）ＷＴであって、あるパラメータに従って基板を正確に位置決めするように構成された第２の位置決め装置ＰＷに接続された基板テーブルＷＴと、
パターン形成装置ＭＡによって放射ビームＰＢに与えられたパターンを、基板Ｗの（例えば１つ又は複数のダイを含む）ターゲット部分Ｃに投影するように構成された投影システム（例えば屈折投影レンズ系）ＰＬとを有している。
【００１４】
照明系は、放射の方向付け、成形又は制御のための屈折式、反射式、磁気式、電磁式、静電式又は他の種類の光学要素、或いはそれらの任意の組み合わせなど、様々な種類の光学要素を含むことができる。
【００１５】
支持構造体は、パターン形成装置の向き、リソグラフィ装置の設計、並びに、例えばパターン形成装置が真空環境に保持されているかどうかなど他の条件によって決まる方法でパターン形成装置を保持する。支持構造体は、機械式、真空式、静電式又は他のクランプ技術を用いてパターン形成装置を保持することができる。支持構造体を、例えば枠台（フレーム）又はテーブルとすることが可能であり、これらは必要に応じて固定することも移動させることもできる。支持構造体は、パターン形成装置が、例えば投影システムに対して、所望の位置にあることを保証できる。本明細書中の「レチクル」又は「マスク」という用語の使用はいずれも、「パターン形成装置」というより一般的な用語と同義であると考えられる。
【００１６】
本明細書で使用する「パターン形成装置」という用語は、基板のターゲット部分にパターンを形成するためなど、放射ビームの断面にパターンを与えるために用いることのできる任意の装置を指すものとして広く解釈すべきである。例えばパターンが位相シフト・フィーチャ、又はいわゆるアシスト・フィーチャを含む場合には、放射ビームに与えられるパターンが、基板のターゲット部分における所望のパターンと厳密に一致しない可能性があることに留意すべきである。一般に、放射ビームに与えられるパターンは、集積回路などターゲット部分に作製されるデバイスの特定の機能層に対応している。
【００１７】
パターン形成装置は、透過式でも反射式でもよい。パターン形成装置の例には、マスク、プログラム可能ミラー配列（アレイ）及びプログラム可能ＬＣＤパネルが含まれる。マスクはリソグラフィの分野では周知であり、それにはバイナリ・マスク、交互位相シフト・マスク（ａｌｔｅｒｎａｔｉｎｇ  ＰＳＭ）及び減衰位相シフト・マスク（ａｔｔｅｎｕａｔｅｄ  ＰＳＭ）などのマスク・タイプ、並びに様々なハイブリッド型のマスク・タイプが含まれる。プログラム可能ミラー配列の例は、小さいミラーのマトリクス（行列）状の配列を使用するものであり、入射する放射ビームを異なる方向に反射するように、それぞれのミラーを別々に傾斜させることができる。傾斜したミラーは、ミラーのマトリクスによって反射される放射ビームにパターンを与える。
【００１８】
本明細書で使用する「投影システム」という用語は、適宜、使用される露光放射向け、又は浸漬液の使用や真空の使用など他の要素向けの屈折式、反射式、反射屈折式、磁気式、電磁式及び静電式の光学系、又はそれらの任意の組み合わせを含めて、任意の種類の投影システムを包含するものとして広く解釈すべきである。本明細書中の「投影レンズ」という用語の使用はいずれも、「投影システム」というより一般的な用語と同義であると考えられる。
【００１９】
本明細書で図示する装置は、（例えば透過性マスクを使用する）透過式のものである。或いは、装置は（例えば先に言及した種類のプログラム可能ミラー配列を使用、或いは反射性マスクを使用する）反射式のものでもよい。
【００２０】
リソグラフィ装置は、２（デュアル・ステージ）又は３以上の基板テーブル（及び／又は２以上の支持構造体）を有する種類のものでもよい。こうした「マルチ・ステージ」装置では、追加のテーブルを並行して用いてもよく、或いは１つ又は複数のテーブル上で予備工程を実施し、それと同時に１つ又は複数の他のテーブルを露光に用いてもよい。
【００２１】
図１を参照すると、照明器ＩＬは放射源ＳＯから放射ビームを受け取る。例えば放射源がエキシマ・レーザーの場合、放射源とリソグラフィ装置とを別々の構成要素にできる。その場合には、放射源がリソグラフィ装置の一部を形成するとは考えられず、放射ビームは、例えば適切な指向性ミラー及び／又はビーム拡大器（エキスパンダ）を有するビーム送出システムＢＤを用いて、放射源ＳＯから照明器ＩＬへ送られる。他の場合、例えば放射源が水銀ランプの場合には、放射源をリソグラフィ装置の一体部分とできる。放射源ＳＯ及び照明器ＩＬを、必要であればビーム送出システムＢＤと共に、放射システムと呼ぶことがある。
【００２２】
照明器ＩＬは、放射ビームの角強度分布を調整するための調整装置ＡＭを含むことができる。一般に、照明器の瞳面内における強度分布の少なくとも外側及び／又は内側の半径方向範囲（それぞれ一般にσ−アウタ（σ−ｏｕｔｅｒ）、σ−インナ（σ−ｉｎｎｅｒ）と呼ばれる）を調整することができる。さらに照明器ＩＬは、積算器ＩＮやコンデンサＣＯなど他の様々な構成要素を含むことができる。照明器を用いて、所望される均一性及び強度分布をその断面に有するように放射ビームを調節できる。
【００２３】
放射ビームＰＢは、支持構造体（例えばマスク・テーブルＭＴ）に保持されているパターン形成装置（例えばマスクＭＡ）に入射し、パターン形成装置によって放射ビームＰＢにパターンが付与される。パターン形成装置ＭＡを通過した放射ビームＰＢは、ビームを基板Ｗのターゲット部分Ｃに集束させる投影システムＰＬを通過する。第２の位置決め装置ＰＷ及び位置センサＩＦ（例えば干渉測定装置、リニア・エンコーダ又は容量センサ）を用いて、基板テーブルＷＴを、例えば異なるターゲット部分Ｃを放射ビームＰＢの経路内に位置決めするように、正確に移動させることができる。同様に、第１の位置決め装置ＰＭ及び（図１には明示されていない）他の位置センサを用いて、例えばマスク・ライブラリから機械的に取り出した後、又は走査中に、パターン形成装置ＭＡを放射ビームＰＢの経路に対して正確に位置決めすることができる。一般に、支持構造体ＭＴの移動は、第１の位置決め装置ＰＭの一部を形成する長ストローク・モジュール（粗い位置決め）及び短ストローク・モジュール（細かい位置決め）を用いて実現される。同様に、基板テーブルＷＴの移動は、第２の位置決め装置ＰＷの一部を形成する長ストローク・モジュール及び短ストローク・モジュールを用いて実現される。（スキャナではなく）ステッパの場合には、支持構造体ＭＴを短ストローク・アクチュエータに接続するだけでもよく、又は固定してもよい。パターン形成装置ＭＡ及び基板Ｗは、パターン形成装置位置調整用マークＭ１、Ｍ２、及び基板位置調整用マークＰ１、Ｐ２を用いて位置を調整できる。図示した基板位置調整用マークは専用のターゲット部分を占めているが、それらをターゲット部分同士の間の空間に配置することもできる（これらはスクライブレーン位置調整用マークとして知られている）。同様に、パターン形成装置ＭＡに２つ以上のダイを設ける場合には、パターン形成装置位置調整用マークをダイ同士の間に配置してもよい。
【００２４】
図示した装置は、以下のモードの少なくとも１つで使用することができる。
（１）ステップ・モードでは、放射ビームに与えられたパターン全体を１回でターゲット部分Ｃに投影する間、支持構造体ＭＴ及び基板テーブルＷＴを本質的に静止した状態に保つ（すなわち、ただ１回の静止露光）。次いで、異なるターゲット部分Ｃを露光できるように、基板テーブルＷＴをＸ及び／又はＹ方向に移動させる。ステップ・モードでは、露光場（露光フィールド）の最大サイズによって１回の静止露光で結像されるターゲット部分Ｃのサイズが制限される。
（２）走査モードでは、放射ビームに与えられたパターンをターゲット部分Ｃに投影する間、支持構造体ＭＴ及び基板テーブルＷＴを同期して走査する（すなわち、ただ１回の動的露光）。支持構造体ＭＴに対する基板テーブルＷＴの速度及び方向は、投影システムＰＬの拡大（縮小）率、及び像の反転特性によって決定できる。走査モードでは、露光フィールドの最大サイズによって１回の動的露光におけるターゲット部分の（非走査方向の）幅が制限され、走査移動の長さによってターゲット部分の（走査方向の）高さが決定される。
（３）他のモードでは、放射ビームに与えられたパターンをターゲット部分Ｃに投影する間、プログラム可能なパターン形成装置を保持しながら支持構造体ＭＴを本質的に静止した状態に保ち、基板テーブルＷＴを移動又は走査させる。このモードでは、一般にパルス式の放射源が使用され、基板テーブルＷＴが移動するたびに、又は走査中の連続する放射パルスの合間に、プログラム可能なパターン形成装置が必要に応じて更新される。この動作モードは、先に言及した種類のプログラム可能ミラー配列などの、プログラム可能なパターン形成装置を利用するマスクレス・リソグラフィに簡単に適用できる。
【００２５】
前記の使用モードの組み合わせ及び／又は変形形態、或いは全く異なる使用モードを採用することもできる。
【００２６】
局所的な液体供給システムを用いた他の浸漬リソグラフィ装置の解決策を図４に示す。液体は、投影システムＰＬの両側の２つの溝状入口ＩＮによって供給され、入口ＩＮの半径方向外側に配置された複数の別々の出口ＯＵＴによって除去される。入口ＩＮ及び出口ＯＵＴは、投影ビームがそれを通して投影される孔を中央に有する板に配置することができる。液体は、投影システムＰＬの一方の側で一方の溝状入口ＩＮによって供給され、投影システムＰＬのもう一方の側で複数の別々の出口ＯＵＴによって除去されて、投影システムＰＬと基板Ｗとの間に薄膜状の液体の流れを生じさせる。入口ＩＮと出口ＯＵＴのどの組み合わせを使用するかの選択は、基板Ｗの移動方向によって決めることができる（入口ＩＮと出口ＯＵＴの他の組み合わせは作動させない）。
【００２７】
提唱されている局所的な液体供給システムを用いた浸漬リソグラフィの他の解決策は、投影システムの最終要素と基板テーブルとの間の空間の少なくとも一部の境界に沿って延びる液体閉じ込め構造体を備えた液体供給システムを提供することである。液体閉じ込め構造体は、ＸＹ平面内では投影システムに対して実質的に静止しているが、Ｚ方向（光軸の方向）にはある程度の相対移動が可能である。液体閉じ込め構造体と基板表面との間には、シール（密封）が形成される。一実施例では、シールはガス・シールなどの非接触シールである。このようなガス・シールを備えたシステムが、米国特許出願第１０／７０５７８３号に開示されており、その全体を参照によって本明細書に援用する。
【００２８】
図５は、本発明の一実施例による（浸漬フード又はシャワーヘッドと呼ばれることもある）液体閉じ込め構造体を有する液体供給システムを示している。特に図５は、液体を閉じ込めて基板表面と投影システムの最終要素との間の空間を満たすように、投影システムの画像領域（イメージ・フィールド）の周りに基板に対する非接触シールを形成する貯水部（リザーバ）１０の配置を示している。投影システムＰＬの最終要素の下に配置され、それを囲む液体閉じ込め構造体１２が、貯水部を形成している。液体は、投影システムの下、及び液体閉じ込め構造体１２の内側の空間に導入される。液体閉じ込め構造体１２は投影システムの最終要素の少し上方に延びており、液体の高さが最終要素より上方まで上昇して、その結果、液体の緩衝体が形成される。液体閉じ込め構造体１２の上端は、好ましくは投影システム又はその最終要素の形に厳密に一致した内側周縁を有し、例えばそれを円形にすることができる。底部は、内側周縁が画像領域の形に厳密に一致し、例えば長方形にすることができるが、必ずしもそうである必要はない。
【００２９】
液体は、液体閉じ込め構造体１２の底部と基板Ｗの表面との間で、ガス・シール１６によって貯水部に閉じ込められる。ガス・シールは、加圧下で入口１５を通して、液体閉じ込め構造体１２と基板との間の隙間に供給され、出口１４を通して取り出されるガス、例えば空気、合成空気、Ｎ２、不活性ガスによって形成される。ガス入口１５に対する加圧力、出口１４に対する真空度、及び隙間の形状は、液体を閉じ込める内側への高速ガス流れが存在するように構成される。液体を収容するために、単に液体及び／又はガスを除去する出口など他の種類のシールを用いることもできることが、当業者には理解されよう。
【００３０】
図６は、本発明の一実施例による基板ステージの配置を示している。この実施例は、基板レベルに露光ステーションＥＳ及び測定ステーションＭＳの２つのステーションの存在する、いわゆるデュアル・ステージ装置である。例えば露光前に基板の特徴を明らかにするため、或いは露光が適切に行われたことを検証するために、測定ステーションで様々な測定が行われる間、露光ステーションでは基板が露光される。測定ステーションに１つ又は複数のセンサを設けて測定を行うことも可能であり、測定ステーションに設けることのできるセンサの型の例には、露光前に基板の高さ地図を作成するための水準（レベル）センサＬＳ、基板の１つ又は複数の位置調整用マークの位置を測定するための位置調整用センサＡＳ、及び露光された基板の潜像を調べるためのスキャタロメータＳＭが含まれる。測定ステーションで基板を基板テーブルへ装着（ロード）及び脱着（アンロード）するために、ロード／アンロード用のロボット（図示せず）も設けられる。このようなデュアル・ステージ装置では、１つの基板を露光している間、以前に露光された基板を測定し、且つ／又は次に露光される基板を予め測定することができる。したがって、デュアル・ステージ装置により、測定および露光の両工程を単一のステーションで実施するシングル・ステージ装置と比べて生産性を向上させることができる。
【００３１】
図６を参照すると、装置は、２つのＨ型駆動装置（Ｈ−ｄｒｉｖｅ）を有する位置決めシステムＰＷによって位置決めされる２つの基板テーブルＷＴ１、ＷＴ２を有し、Ｈ型駆動装置のそれぞれが、基板テーブルを一方のステーションの範囲内に位置決めするようになっている。図７に示すように、一実施例によれば、露光処理の終わりに、２つの基板テーブルＷＴ１、ＷＴ２は２つのステーション間の境界に位置決めされ、位置決めシステムＰＷから切り離される。次いで、Ｈ型駆動装置はそれぞれ、他方のＨ型駆動装置によって解放された基板テーブルを取り上げる。この処理は、チャック交換又はテーブル交換と呼ばれることがある。したがって、測定ステーションで事前の測定が行われたばかりの基板Ｗ２を露光ステーションで露光することが可能になり、また露光されたばかりの基板Ｗ１を測定ステーションで測定及び／又はアンロードすることが可能になる。別の配置は、２つの測定ステーション及び２つの基板テーブルを有するが、露光ステーションは１つだけである。各基板テーブルは、それ自体の測定ステーション及び露光ステーションを含めた領域を有する駆動システムによって位置決めされ、したがって、位置決めシステムの部分間でのテーブル交換は行われない。しかし、一方のテーブルを露光ステーションの外へ移動させ、他方を露光ステーションの中へ移動させる間には、テーブル交換と呼ぶこともできる段階が依然として存在する。
【００３２】
例えばシャワーヘッド型のものなど、局所的な液体供給システムを備えた浸漬リソグラフィ装置では、テーブル交換処理の間に浸漬液が装置の他の部分へ漏出することを防ぐために、液体供給システムが止められ、或いは閉鎖面が設けられる。一実施例では、基板テーブルの陥凹部に閉鎖板を設けることが可能であり、閉鎖板を液体閉じ込め構造体ＩＨによって陥凹部から取り上げた後、基板テーブルを投影システムＰＬの下から外へ移動させる。
【００３３】
本発明の一実施例では、位置決めシステム２２、２３と共に第３のテーブル２１が設けられ、位置決めシステム２２、２３は、第３のテーブルを投影システムＰＬ及び液体閉じ込め構造体ＩＨの下に位置決めできるようになっている。第３のテーブル２１及び位置決めシステム２２、２３は共に、第３のステージ２０を形成することができる。第３のテーブル２１により、少なくとも２つの機能を実現することができる。第１に、基板テーブルＷＴ１、ＷＴ２を取り除く際、第３のテーブル２１は液体閉じ込め構造体ＩＨの底部に閉じ込め用の面を形成して、浸漬液が装置の他の部分へ漏出することを防ぐことができる。第２に、第３のテーブル２１は、投影システムＰＬによって投影された空中画像の測定を行うための１つ又は複数のセンサを含む、センサ・ユニット２４を有することができる。センサ・ユニットに含めることのできるセンサの種類には、透過イメージ・センサ（ＴＩＳ）、エネルギー・センサ、偏光センサ、及びシヤリング干渉計センサが含まれる（例えば、２００４年１１月１６日出願の米国特許出願第１０／９８８８４５号を参照。この文献全体を参照によって本明細書に援用する）。一実施例では、センサ・ユニット２４はシヤリング干渉計センサを含み、それを用いて投影システムＰＬにおける収差の特徴を明らかにすると有利になることがあるが、それは、そうしたセンサによって行われる測定は比較的長い時間をかけて行われ、結像性能にとって重要であるためである。
【００３４】
センサ・ユニットを第３のテーブル２１に設けると、基板テーブルの交換の合間を利用することにより、生産性を低下させずに（１つ又は複数の）センサを用いて基板の水準での測定を行うことが可能になる。したがって、停止時間をかなり短縮することができる。所望される（１つ又は複数の）測定（例えば較正に必要な測定）に基板テーブル交換より長い時間がかかる場合には、その（１つ又は複数の）測定を複数の部分に分割し、複数の基板テーブルの交換段階の間に、おそらくはその段階を通じて測定間で変化する可能性のある要素を考慮するための変更を加えて、実施できることに留意すべきである。別法として或いは追加として、交換段階を（１つ又は複数の）測定に適合させるように延長することも可能であり、１つ又は複数の場合には生産性はある程度損なわれるが、それは、測定全体を基板露光の停止時間中に実施した場合ほどではない。
【００３５】
複数の光学要素を含む偏光センサは非常にかさばる可能性があり、基板テーブルＷＴ１、ＷＴ２の一方又は両方に対して適合させるのは難しい場合があるため、第３のテーブルにセンサ・ユニットの一部として偏光センサを設けることによっても利点が得られる。
【００３６】
例えば第３のテーブル２１に設けられるセンサの種類によっては、位置決めシステム２２、２３は、図７に示すように、例えば基板テーブルＷＴ１、ＷＴ２を取り除くのと同期して、第３のテーブル２１を投影システムＰＬの下に位置決めするための長ストローク駆動モジュールを有するだけでもよい。これは、第３のテーブル２１の位置決めシステム、及び基板テーブルＷＴ１、ＷＴ２の位置決めシステムに接続された制御装置ＣＳによる制御の下で実施することができる。測定を行うために、センサがより正確な位置決め及び／又は走査を必要とする場合には、任意選択で短ストローク駆動モジュールを含めることができる。２つ以上のセンサを設ける場合には、同時に動作するように各センサを露光フィールドの領域内に収めることが可能であり、或いはそれが不都合である場合には、位置決めシステムを、異なるセンサを連続的に露光フィールド内に位置決めするように構成することができる。
【００３７】
本発明をデュアル・ステージの浸漬式リソグラフィ装置に関して説明してきたが、本発明は、浸漬式ではない装置と共に用いることもでき、また基板のロード及びアンロード動作のために基板テーブルを投影システムの下から外へ移動させるシングル・ステージ装置と共に用いることもできることに留意すべきである。第３のテーブルは、例えばセンサに加えて、或いはセンサの代わりに、投影システムの最終要素を清浄するように構成された清浄装置など他の装置を備えることもできる。清浄装置は、ガス、電気粒子（ｅｌｅｃｔｒｉｃ  ｐａｒｔｉｃｌｅ）、レーザー、又は投影システムを清浄するための他の機構を用いることができる。第３のテーブルを、センサや他の装置を備えていない浸漬リソグラフィ装置に用いることも可能であり、むしろ単に、例えばテーブル交換及び／又は基板のロードとアンロードとの間、液体供給システムに対して閉じ込め用の面を設けるために用いてもよい。
【００３８】
さらに、（浸漬能力の有無に関わらず）複数（例えば２）ステージのリソグラフィ装置は、１つの露光ステーション及び２つ以上の測定ステーションを有することができる。この配置では、例えば測定ステーションを露光ステーションの反対側に設けることが可能であり、そこで投影システムを位置決めし、次いで２つの基板テーブルを、２つの測定ステーションと露光ステーションとの間で往復させることができる。一実施例では、第１の基板テーブルを露光ステーションと第１の測定ステーションとの間で往復させ、第２の基板テーブルを露光ステーションと第２の測定ステーションとの間で往復させることができる。一実施形態では、第１の基板テーブルが露光ステーションと第１の測定ステーションとの間のみを移動し、第２の基板テーブルが露光ステーションと第２の測定ステーションとの間のみを移動するように、２つの基板テーブルを一列に並べて往復させることができる。
【００３９】
欧州特許出願第０３２５７０７２．３号には、ツイン又はデュアル・ステージの浸漬リソグラフィ装置の概念が開示されている。そうした装置は、基板を支持するための２つのテーブルを備えている。水準測定（レベリング）は第１の位置にあるテーブルを用いて浸漬液なしで行われ、露光は浸漬液が存在している第２の位置にあるテーブルを用いて行われる。或いは、装置はただ１つのテーブルを有する。
【００４０】
本明細書では、リソグラフィ装置をＩＣの製造に用いることについて特に言及することがあるが、本明細書で記載するリソグラフィ装置は、一体型光学システム、磁気ドメイン・メモリ用の誘導及び検出パターン、フラット・パネル・ディスプレイ、液晶ディスプレイ（ＬＣＤ）、薄膜磁気ヘッドその他の製造など、他の用途にも使用可能であることを理解すべきである。こうした別の用途についての文脈では、本明細書中の「ウェハ」又は「ダイ」という用語の使用はいずれも、それぞれ「基板」又は「ターゲット部分」というより一般的な用語と同義であると考えられることが、当業者には理解されよう。本明細書で言及する基板は、露光前又は露光後に、例えばトラック（一般に基板にレジスト層を施し、露光されたレジストを現像するツール）や計測ツール及び／又は検査ツールで処理することができる。適用可能であれば、本明細書の開示をこうしたツールや他の基板処理ツールに適用してもよい。さらに、例えば多層ＩＣを作製するために、基板を２回以上処理することも可能であり、したがって、本明細書で使用する基板という用語は、処理が施された複数の層を既に含む基板を指すこともある。
【００４１】
本明細書で使用する「放射」及び「ビーム」という用語は、（例えば３６５、２４８、１９３、１５７又は１２６ｎｍの波長を有する）紫外（ＵＶ）放射を含むあらゆる種類の電磁放射を包含している。
【００４２】
「レンズ」という用語は、状況が許す場合には、屈折式及び反射式の光学要素を含めて、様々な種類の光学要素の任意の１つ、又は任意の組み合わせを指すことがある。
【００４３】
ここまで本発明の特定の実施例について説明してきたが、本発明は記載したものとは別の方法で実施可能であることが理解されよう。例えば、本発明は、先に開示した方法を記述した、機械で読み取り可能な命令の１つ又は複数の列を含むコンピュータ・プログラム、或いはそうしたコンピュータ・プログラムを内部に記憶したデータ記憶媒体（例えば半導体メモリ、磁気又は光ディスク）の形をとることができる。
【００４４】
本発明の１つ又は複数の実施例は、前述の種類のものなどの任意の浸漬リソグラフィ装置に対して、また浸漬液が槽の形で提供されても、基板の局所的な表面領域のみに提供されても適用することが可能である。液体供給システムは、投影システムと、基板及び／又は基板テーブルとの間の空間に液体を提供する任意の機構である。それは、１つ又は複数の構造体、１つ又は複数の液体入口、１つ又は複数のガス入口、１つ又は複数のガス出口、及び／又は１つ又は複数の液体出口の任意の組み合わせを有し、その組み合わせによって液体を空間に提供し、閉じ込めることができる。一実施例では、空間の表面を基板及び／又は基板テーブルの一部に限定すること、空間の表面が基板及び／又は基板テーブルの表面を完全に覆うこと、或いは空間が基板及び／又は基板テーブルを囲むことが可能である。
【００４５】
前記の説明は例示的なものであり、限定的なものではない。したがって、添付の特許請求の範囲から逸脱することなく、前記の本発明に変更を加えることが可能であることが当業者には明らかであろう。
【符号の説明】
【００４６】
Ｗ  基板
ＷＴ  基板テーブル
ＩＮ  入口
ＯＵＴ  出口
１０  貯水部
１２  液体閉じ込め構造体
１４  出口
１５  入口
１６  ガス・シール
ＡＳ  位置調整用センサ
ＣＳ  制御装置
ＥＳ  露光ステーション
ＩＨ  液体閉じ込め構造体
ＬＳ  水準センサ
ＭＳ  測定ステーション
ＳＭ  スキャタロメータ
Ｗ１、Ｗ２  基板
ＷＴ１、ＷＴ２  基板テーブル
２０  第３のステージ
２１  第３のテーブル
２２、２３  位置決めシステム
２４  センサ・ユニット
【図１】
2010177706.tif 000003
【図２】
2010177706.tif 000004
【図３】
2010177706.tif 000005
【図４】
2010177706.tif 000006
【図５】
2010177706.tif 000007
【図６】
2010177706.tif 000008
【図７】
2010177706.tif 000009
【外国語明細書】
2010177706000001.pdf